(57)【要約】【課題】コースマネジメントに活用できるゴルフプレー支援システム並びに方法、及びプログラムを提供する。【解決手段】ゴルフプレー支援システムは、ユーザがゴルフボールを打った際の、該ゴルフボールの軌道を特定する軌道情報を複数取得する軌道情報取得手段と、ゴルフコースにおける前記ユーザの現在位置を取得する現在位置取得手段と、前記複数の軌道情報に基づいて取得される、前記現在位置から前記ユーザが打つゴルフボールの到達範囲を判断するための参考画像を、前記現在位置に基づいて生成される前記ゴルフコースの画像に付加する画像付加手段と、を含む。【選択図】図４
2014023701.tif 000002
【特許請求の範囲】
【請求項１】
ユーザがゴルフボールを打った際の、該ゴルフボールの軌道を特定する軌道情報を複数取得する軌道情報取得手段と、
ゴルフコースにおける前記ユーザの現在位置を取得する現在位置取得手段と、
前記複数の軌道情報に基づいて取得される、前記現在位置から前記ユーザが打つゴルフボールの到達範囲を判断するための参考画像を、前記現在位置に基づいて生成される前記ゴルフコースの画像に付加する画像付加手段と、
を含むことを特徴とするゴルフプレー支援システム。
【請求項２】
前記軌道情報は、前記ゴルフボールの速度及びスピンの情報を含む、ことを特徴とする請求項１に記載のゴルフプレー支援システム。
【請求項３】
前記画像付加手段は、
前記複数の軌道情報に基づいて、前記ゴルフボールの複数の到達位置を算出する到達位置算出手段を含み、
前記複数の到達位置に基づいて、前記ゴルフボールの到達位置の散らばりの傾向を示す画像を前記参考画像として取得する、
ことを特徴とする請求項１又は２に記載のゴルフプレー支援システム。
【請求項４】
前記画像付加手段は、
前記複数の軌道情報に基づいて、前記ゴルフボールの複数の到達位置を算出する到達位置算出手段を含み、
前記複数の到達位置を示す画像を前記参考画像として取得する、
ことを特徴とする請求項１又は２に記載のゴルフプレー支援システム。
【請求項５】
前記画像付加手段は、
前記複数のゴルフボールのスピンの情報に基づいて、前記ゴルフボールの球筋の傾向を示す画像を前記参考画像として取得する、
ことを特徴とする請求項２又は請求項２に従属する請求項３又は４に記載のゴルフプレー支援システム。
【請求項６】
前記軌道情報取得手段は、ゴルフクラブの番手毎に前記複数の軌道情報を取得し、
前記画像付加手段は、
所与の番手のゴルフクラブに対応する前記複数の軌道情報に基づいて取得される、前記現在位置から前記ユーザが打ったゴルフボールの到達範囲を判断するための参考画像を、前記ゴルフコースの画像に付加する、
ことを特徴とする請求項１乃至４のいずれか一に記載のゴルフプレー支援システム。
【請求項７】
ユーザがゴルフボールを打った際の、該ゴルフボールの軌道を特定する軌道情報を複数取得する軌道情報取得ステップと、
ゴルフコースにおける前記ユーザの現在位置を取得する現在位置取得ステップと、
前記複数の軌道情報に基づいて取得される、前記現在位置から前記ユーザが打つゴルフボールの到達範囲を判断するための参考画像を、前記現在位置に基づいて生成される前記ゴルフコースの画像に付加する画像付加ステップと、
を含むことを特徴とするゴルフプレー支援方法。
【請求項８】
ゴルフコースにおけるユーザの現在位置を取得する現在位置取得手段、及び
前記ユーザがゴルフボールを打った際の、該ゴルフボールの軌道を特定する軌道情報を複数用いて取得される、前記現在位置から前記ユーザが打つゴルフボールの到達範囲を判断するための参考画像を、前記現在位置に基づいて生成される前記ゴルフコースの画像に付加する画像付加手段
としてコンピュータを機能させるためのプログラム。
【発明の詳細な説明】
【技術分野】
【０００１】
本発明はゴルフプレー支援システム並びに方法、及びプログラムに関し、特にゴルフコースにおいてゴルフボールの到達位置をゴルファーに案内するゴルフプレー支援システム並びに方法、及びプログラムに関する。
【背景技術】
【０００２】
ＧＰＳ（Global Positioning System）により現在位置を測位し、ゴルファーの現在位置周辺のコース地図を表示するＧＰＳゴルフナビゲータが知られている。こうした装置を用いれば、ゴルファーはどの方向にどの距離だけ飛ばせば、ゴルフボールが望ましい位置に到達するかを容易に判断することができる。さらに、下記特許文献に記載の発明によれば、現在位置を中心とした円弧状の飛距離予想線がコース地図に付加されており、予想されるゴルフボールの到達位置を容易に判断できる。
【先行技術文献】
【特許文献】
【０００３】
【特許文献１】特開２０１１−２５８０６６号公報
【発明の概要】
【発明が解決しようとする課題】
【０００４】
上記従来技術によれば、ゴルファーが上手くゴルフボールを打てた場合の飛距離は飛距離予想線により把握できるものの、上手く打てなかった場合にどこにボールが飛んでいくかは把握できないという問題がある。従って、従来技術に係る装置は、コースマネジメント（ミスショットした場合にも大きなトラブルにならないようにプレーすること）に十分に活用できないという問題があった。
【０００５】
本発明は上記課題に鑑みてなされたものであって、その目的は、コースマネジメントに活用できるゴルフプレー支援システム並びに方法、及びプログラムを提供することにある。
【課題を解決するための手段】
【０００６】
上記課題を解決するために、本発明に係るゴルフプレー支援システムは、ユーザがゴルフボールを打った際の、該ゴルフボールの軌道を特定する軌道情報を複数取得する軌道情報取得手段と、ゴルフコースにおける前記ユーザの現在位置を取得する現在位置取得手段と、前記複数の軌道情報に基づいて取得される、前記現在位置から前記ユーザが打つゴルフボールの到達範囲を判断するための参考画像を、前記現在位置に基づいて生成される前記ゴルフコースの画像に付加する画像付加手段と、を含む。
【０００７】
ここで、前記軌道情報は、前記ゴルフボールの速度及びスピンの情報を含んでよい。
【０００８】
また、前記画像付加手段は、前記複数の軌道情報に基づいて、前記ゴルフボールの複数の到達位置を算出する到達位置算出手段を含んでよい。そして、前記複数の到達位置に基づいて、前記ゴルフボールの到達位置の散らばりの傾向を示す画像を前記参考画像として取得してよい。或いは、前記複数の到達位置を示す画像を前記参考画像として取得してよい。
【０００９】
また、前記画像付加手段は、前記複数のゴルフボールのスピンの情報に基づいて、前記ゴルフボールの球筋の傾向を示す画像を前記参考画像として取得してよい。  また、前記軌道情報取得手段は、ゴルフクラブの番手毎に前記複数の軌道情報を取得してよい。この場合、前記画像付加手段は、所与の番手のゴルフクラブに対応する前記複数の軌道情報に基づいて取得される、前記現在位置から前記ユーザが打ったゴルフボールの到達範囲を判断するための参考画像を、前記現在位置に基づいて生成される前記ゴルフコースの画像に付加してよい。
【００１０】
また、本発明に係るゴルフプレー支援方法は、ユーザがゴルフボールを打った際の、該ゴルフボールの軌道を特定する軌道情報を複数取得する軌道情報取得ステップと、ゴルフコースにおける前記ユーザの現在位置を取得する現在位置取得ステップと、前記複数の軌道情報に基づいて取得される、前記現在位置から前記ユーザが打つゴルフボールの到達範囲を判断するための参考画像を、前記現在位置に基づいて生成される前記ゴルフコースの画像に付加する画像付加ステップと、を含む。
【００１１】
また、本発明に係るプログラムは、ゴルフコースにおけるユーザの現在位置を取得する現在位置取得手段、及び前記ユーザがゴルフボールを打った際の、該ゴルフボールの軌道を特定する軌道情報を複数用いて取得される、前記現在位置から前記ユーザが打つゴルフボールの到達範囲を判断するための参考画像を、前記現在位置に基づいて生成される前記ゴルフコースの画像に付加する画像付加手段としてコンピュータを機能させるためのプログラムである。このプログラムは、ＣＤ−ＲＯＭやＤＶＤ−ＲＯＭなどのコンピュータ可読記録媒体に格納されてよい。
【図面の簡単な説明】
【００１２】
【図１】本発明の実施形態に係るゴルフプレー支援システムの全体構成図である。
【図２】ゴルフシミュレータの全体構成を示す外観斜視図である。
【図３】ゴルフナビゲータの外観斜視図である。
【図４】ゴルフナビゲータの画面に表示されるナビゲーション画像の一例を示す図である。
【図５】管理サーバで管理される計測データを模式的に示す図である。
【図６】ミス傾向と参考画像との関係を記述したテーブルを示す図である。
【図７】管理サーバにおいて基礎データを生成する処理を示すフロー図である。
【図８】管理サーバの処理を説明する図である。
【図９】ゴルフナビゲータに記憶される基礎データを示す図である。
【図１０】ゴルフナビゲータの処理を示すフロー図である。
【図１１】参考画像の他の例を示す図である。
【図１２】球筋参考画像の例を示す図である。
【図１３】ナビゲーション画像の変形例を示す図である。
【図１４】サイドスピン量の分布例を示す図である。
【図１５】球筋参考画像の例を示す図である。
【図１６】ナビゲーション画像の変形例を示す図である。
【図１７】球筋参考画像を決定する処理を示すフロー図である。
【発明を実施するための形態】
【００１３】
以下、本発明の実施形態について図面に基づき詳細に説明する。
【００１４】
図１は、本発明の実施形態に係るゴルフプレー支援システムの全体構成図である。同図に示すゴルフプレー支援システム１は、管理サーバ２と、１以上のゴルフシミュレータ１０と、パーソナルコンピュータ４と、ゴルフナビゲータ６と、を含んでいる。ゴルフシミュレータ１０は、運動施設、飲食店、ゴルフ用具店等の屋内に配置され、ゴルフを疑似体験できるシステムであり、概ね図２に示される外観を有する。また、ゴルフナビゲータ６は、概ね図３に示される外観を有しており、実際のゴルフコースにおいて、ゴルフプレー中にプレーヤーに携帯される可搬型のコンピュータである。
【００１５】
本実施形態では、プレーヤーＰがゴルフクラブＣの番手を替えながらゴルフボールＢをそれぞれ複数回打つと、ゴルフシミュレータ１０では、各回のゴルフボールＢの軌道をそれぞれ特定する複数の軌道情報（ゴルフボールＢの初速度及びスピンの情報）を取得する。その後、プレーヤーＰがゴルフコースに実際に行ってゴルフをプレーする際、ゴルフナビゲータ６では、プレーヤーＰの現在位置を取得し、現在位置周辺のゴルフコースの画像を画面に表示する。さらに、そのゴルフコースの画像に対し、現在位置からプレーヤーＰがゴルフボールを打った場合の該ゴルフボールの到達位置の範囲を判断するための参考画像を付加する。
【００１６】
図４は、ゴルフナビゲータ６の画面に表示されるナビゲーション画像の一例を示している。同図に示すように、ゴルフナビゲータ６の画面にはナビゲーション画像の一部として、プレーヤーＰの現在位置（同図では、画像下部のティーグラウンドの位置）に応じて選択される領域のゴルフコースの画像が表示される。さらに、現在位置からゴルフボールを打った場合のゴルフボールの平均的な到達位置を示す円弧状の平均到達距離線５０，５２，５４が、ゴルフクラブの番手毎に表示される。さらに、各平均到達距離線５０，５２，５４の上には参考画像５６，５８，６０がそれぞれ重ねて表示されている。参考画像は、ゴルフシミュレータ１０において取得された複数の軌道情報に基づいて取得されている。このように、ゴルフシミュレータ１０で実際にプレーヤーＰがゴルフボールＢを打った場合の該ゴルフボールＢの軌道情報に基づいて参考画像を取得し、それをゴルフナビゲータ６において表示することで、万一プレーヤーＰがゴルフボールを上手く打てなかった場合に、どこにボールが飛んでいく可能性があるかを、事前に判断することができる。例えば、図４の例では、１番ウッドにより奥側のフェアウェイを狙うか、５番ウッドにより手前側のフェアウェイを狙うか、が良い戦略であると判断できる。このように、ゴルフナビゲータ６はコースマネジメントに用いるのに非常に適している。
【００１７】
具体的には、図２に示されるように、ゴルフシミュレータ１０では、人工芝により形成され、室内の床に置かれたゴルフマット１８の前方に、スクリーン１２が掛けられており、このスクリーン１２には天井に取り付けられたプロジェクタ２０が向けられている。このプロジェクタ２０は、測定装置１６と共に本体１４に接続されており、プロジェクタ２０には、ゴルフマット１８の位置から見たゴルフコースやゴルフ練習場の画像が本体１４から供給される。こうした画像は、公知の３次元グラフィックスの技術を利用して本体１４において生成される。こうして、プロジェクタ２０により、ゴルフコースやゴルフ練習場の画像がスクリーン１２に映し出される。
【００１８】
スクリーン１２は、ゴルフボールＢが当たっても損傷しない強度を有する布により形成されており、プレーヤーＰはゴルフマット１８の上に立ち、そこからゴルフクラブＣによりゴルフボールＢを前方のスクリーン１２に向けて打ち出す。プレーヤーＰの正面側には測定装置１６が床上に設置されており、この測定装置１６に内蔵される複数のデジタルカメラは、ゴルフマット１８上に直接置かれ、或いはティーアップされたゴルフボールＢをそれぞれ高速連続撮影している。そして、撮影された画像は本体１４に入力されている。
【００１９】
本体１４の内部には、コンピュータが収容されており、上面には、ユーザがゴルフコースやゴルフ練習場を選択したり、自分が使用するゴルフクラブＣの番手を入力したりするためのタッチパネルが備えられている。本体１４では、撮影された各画像に表れているゴルフボールＢの位置、及びゴルフボールＢに表されているブランドロゴ等の特徴部分の位置を認識する。そして、認識されたそれらの位置の画像（打出し直後の画像）間での移動量に基づき、ゴルフボールＢの軌道情報である初速度及びスピンの情報、すなわち初速度ベクトル及びバックスピン（ｒｐｍ）及びサイドスピン（ｒｐｍ）を計算する。なお、これらのパラメータは、デジタルカメラの代わりに、赤外線やレーザーを用いた周知の測定装置等により測定することも可能であり、測定手段は特に限定されるものではない。
【００２０】
さらに本体１４は、初速度及びスピンの情報に基づき、ゴルフボールＢが実際にゴルフコースやゴルフ練習場で打ち出されたと仮定した場合の軌道を計算する。そして、計算された軌道に沿って移動するゴルフボールの画像が重畳された、ゴルフコースやゴルフ練習場の画像を、プロジェクタ２０によりスクリーン１２に映し出す。こうして、プレーヤーＰは、屋内に居ながらにして、あたかもゴルフコースやゴルフ練習場で実際にゴルフボールＢを打っているかのような体験をすることができる。
【００２１】
また本体１４は、ゴルフボールＢの軌道を計算する際に、ゴルフボールＢの到達位置（打出し位置を原点とする二次元座標）も算出している。この到達位置は、ゴルフボールＢが打ち出された後、最初に（仮想空間内で）着地した位置、つまりキャリーによる到達位置であってよい。あるいは、打ち出された後、ゴルフボールＢが（仮想空間内で）停止する位置、つまりキャリー及びランによる到達位置であってもよい。
【００２２】
本体１４において取得される軌道情報、到達位置、ショット日時は、プレーヤーＰが使用したゴルフクラブＣの番手毎に、通信ネットワーク８を介して管理サーバ２に送信される。管理サーバ２は、公知のサーバコンピュータであり、図５に示すように、プレーヤーＰ毎、且つクラブ番手毎に、初速データ（初速度ベクトル）、スピンデータ（バックスピン及びサイドスピン）、ショット日時及び到達位置を記憶している。
【００２３】
次に、図３に示すゴルフナビゲータ６は、ＧＰＳデバイス等の測位デバイス６ａを内蔵しており、表面にはディスプレー６ｂが備えられている。測位デバイス６は、携帯電話等の無線基地局からの電波の強さに基づいて測位する方式など、他の方式により測位するものであってよい。また、ディスプレー６ｂはタッチパネルを備えてプレーヤーＰによる各種操作を受け付けてもよいし、別途ボタンなどの操作用部材を備えるようにしてもよい。
【００２４】
また、ゴルフナビゲータ６は、通信機能を備えないコンピュータであってもよいし、例えばスマートフォンのような通信機能を備えたコンピュータであってもよい。通信機能を備えない場合には、ゴルフナビゲータ６には事前に本発明の実施形態に係るプログラムがインストールされる。また、スマートフォン等の通信機能を備えたコンピュータにより構成される場合には、ゴルフナビゲータ６には、本発明の実施形態に係るプログラムが、例えば通信ネットワーク８を介して他のコンピュータから事前にダウンロードされ、インストールされる。なお、いずれの場合も、各種記憶メディアからプログラムがゴルフナビゲータ６にインストールされてよいのはもちろんである。
【００２５】
ゴルフナビゲータ６には、管理サーバ２から、図４に例示されるナビゲーション画像を表示するための基礎データが事前に転送される。ゴルフナビゲータ６が、通信機能を備える場合には該ゴルフナビゲータ６が管理サーバ２から直接基礎データをダウンロードする。また、通信機能を備えない場合には、通信ネットワーク８に接続されたパーソナルコンピュータ４が代わりに管理サーバ２から基礎データをダウンロードする。そして、記録メディアを介して、或いは近距離の有線又は無線通信により、パーソナルコンピュータ４からゴルフナビゲータ６に基礎データを転送する。
【００２６】
ここで、管理サーバ２の処理について説明する。管理サーバ２では、上述のように、プレーヤーＰ毎且つクラブ番手毎に、初速データ、スピンデータ、ショット日時及び到達位置データを記憶している（図５）。さらに、図６に示すように、参考画像ＩＤと、参考画像のデータと、前後左右の各方向のミスショットの程度と、を関連づけて記憶している。例えば、前後左右の各方向のミスショットの程度が小さい場合には、参考画像ＩＤ「０１」が関連付けられている。また、参考画像ＩＤ「０１」には、前後左右への到達位置の散らばりが小さいことを示す、小さな円形の参考画像が関連付けられている。この参考画像の内部には前後左右に短い線が伸びた十字が表される。例えば、左右方向のミスショットの程度が大きく、前後方向のミスショットの程度が大きい場合には、参考画像ＩＤ「１１」が関連付けられている。また、参考画像ＩＤ「１１」には、左右方向への到達位置の散らばりが大きく、前後方向への到達位置の散らばりが小さいことを示す、横長の楕円の参考画像が関連付けられている。この参考画像の内部には、左右方向に長い線が伸び、前後方向に短い線が伸びた十字が表される。すなわち、参考画像の内部には、前後左右の各方向に対応する図形（ここでは線）が表されており、この図形が各方向に延伸する長さはミスショットの程度に対応している。こうした参考画像の外形状及び内部の十字を構成する各線を見ることで、到達位置の散らばりの傾向を直ちに判断することができる。
【００２７】
管理サーバ２では、ゴルフナビゲータ６或いはパーソナルコンピュータ４からの基礎データの要求を受け付けると、図７に示す処理を実行する。すなわち、まず、図５に示すデータから、各番手に対応する到達位置データを抽出する（Ｓ１０１）。このとき、ショット日時と現在日時との差が所定時間内のものだけを抽出してもよい。また、到達位置データのうち、極端に距離が短いものや、極端に左右方向にずれたものなど、事前に定めた抽出条件を満たさないものを抽出しないようにしてよい。
【００２８】
次に、ゴルフクラブの番手毎に、抽出された各到達位置データに基づいて基準位置を算出する（Ｓ１０２）。基準位置は、例えば到達位置の平均であってよい。或いは、ゴルフシミュレータ１０における正面方向（ショットの目標方向）上の位置のうち、例えば、抽出された到達位置データから求められる平均到達距離に相当する位置を基準位置としてもよい。さらに、管理サーバ２は、ゴルフクラブの番手毎に、抽出された到達位置データに基づいて平均到達距離を算出する（Ｓ１０３）。
【００２９】
次に、Ｓ１０２で算出した基準位置から前方向、後方向、左方向、右方向へのミスショットの程度を、ゴルフクラブの番手毎に算出する（Ｓ１０４）。例えば、基準位置より前方向の到達位置データのみを抽出し、それらの平均位置をミスショットの程度を示す評価値として算出する。同様に、後方向、左方向及び右方向の到達位置データのみをそれぞれ抽出し、各平均値をミスショットの程度を示す評価値として算出する。
【００３０】
このとき、図８（ａ）に示すように、基準位置Ｒを原点として左右方向に延びる区画線Ｌａ１、及び前後方向に延びる区画線Ｌａ２をそれぞれ設定し、区画線Ｌａ１よりも下側（打出し位置側）の到達位置データ（III及びIVの領域の到達位置データであり白丸で示される）を、前方向の到達位置データとしてよい。また、区画線Ｌａ１よりも上側（打出し位置より遠い側）の到達位置データ（I及びIIの領域の到達位置データ）を、後方向の到達位置データとしてよい。また、区画線Ｌａ２よりも左側の到達位置データ（II及びIIIの領域の到達位置データ）を、左方向の到達位置データとしてよいさらに、区画線Ｌａ２よりも右側の到達位置データ（Ｉ及びIVの領域の到達位置データ）を、右方向の到達位置データとしてよい。
【００３１】
或いは、図８（ｂ）に示すように、基準位置Ｒを原点として左前から右奥に延びる区画線Ｌｂ１、それに直交する区画線Ｌｂ２をそれぞれ設定し、区画線Ｌｂ１及び区画線Ｌｂ２により区画される領域のうち、基準位置Ｒの上側に広がる領域Ｉの到達位置データを後方向の到達位置データとしてよい。また、基準位置Ｒの左側に広がる領域IIの到達位置データを左方向の到達位置データとしてよい。また、基準位置Ｒの下側に広がる領域IIIの到達位置データを前方向の到達位置データとしてよい。さらに、基準位置Ｒの右側に広がる領域IVの到達位置データを右方向の到達位置データとしてよい。
【００３２】
その後、ゴルフクラブの番手毎に、ミスショットの程度を示す評価値を閾値と比較する（Ｓ１０５）。閾値は、ゴルフクラブの番手に共通する固定値であってもよいし、ゴルフクラブの番手毎に予め定められてよい。或いは、到達位置データから求められる平均飛距離に基づいて、ゴルフクラブの番手毎に算出されてよい。そして、閾値よりも大きければ、ミスショットの程度が大きいと判断し、閾値以下であれば、ミスショットの程度が小さいと判断する。そして、Ｓ１０５での判断結果に従って、図６に示されるデータを参照し、ミスショットの程度に対応する参考画像ＩＤを決定する（Ｓ１０６）。
【００３３】
その後、ゴルフナビゲータ６に対し、Ｓ１０３及びＳ１０６で得られたゴルフクラブの番手毎の参考画像ＩＤ及び平均飛距離からなる基礎データをゴルフナビゲータ６に返信する（Ｓ１０７）。
【００３４】
次に、ゴルフナビゲータ６の処理について説明する。ゴルフナビゲータ６では、ゴルフコースでのプレーが開始される前に、事前に、上述したように直接ダウンロードにより、又はパーソナルコンピュータ４からの転送により、管理サーバ２から提供される基礎データを取得する。図９は、このようにして取得され、ゴルフナビゲータ６で記憶されている基礎データを模式的に示している。同図に示すように、ゴルフナビゲータ６では、クラブ番手毎に、平均到達距離及び参考画像ＩＤを記憶している。そして、ゴルフコースでのプレーが開始されると、図１０に示される処理を実行する。この処理は、ユーザがショット位置においてゴルフナビゲータ６に対してボタン押下などの操作を行った場合に実行されてよい。また、同図に示される処理は、本発明の実施形態に係るプログラムに従って実行されるものである。
【００３５】
まず、ゴルフナビゲータ６では、内蔵の測位デバイス６ａにより現在位置を測位する（Ｓ２０１）。次に、内蔵メモリから現在位置周辺のコース地図データを読み出し、これを描画用メモリに描画する（Ｓ２０２）。次に、所与のクラブ番手に対応する平均到達距離を基礎データから抽出し、その値に基づいて円弧上の平均到達距離線（５０，５２，５４）をコース地図に重ねて描画する（Ｓ２０３）。クラブ番手は、プレーヤーＰに選択させてもよいし、グリーンまでの距離に基づいて自動選択してもよい。さらに、基礎データから、所与のクラブ番手に対応する参考画像ＩＤを抽出し、該参考画像ＩＤに対応する参考画像を取得する。そして、取得した参考画像をコース地図に重ねて描画する（Ｓ２０４）。なお、各参考画像のデータは、予めゴルフナビゲータ６に記憶しておいてもよいし、都度、管理サーバ２等からダウンロードしてもよい。その後、ゴルフナビゲータ６のディスプレー６ｂにより、平均到達距離線及び参考画像が付加されたコース地図の画像、すなわちナビゲーション画像を表示する（Ｓ２０５）。
【００３６】
以上説明したゴルフプレー支援システム１によれば、ゴルフシミュレータ１０で実際にプレーヤーＰがゴルフボールＢを打った場合の該ゴルフボールＢの軌道情報に基づいて参考画像を取得し、それをゴルフナビゲータ６において表示するので、プレーヤーＰが打ったゴルフボールがどこに飛んでいく可能性があるかを事前に判断することができ、コースマネジメントに役立てることができる。
【００３７】
なお、本発明は上記実施形態に限定されず、種々の変形が可能である。例えば、図４や図６に示される参考画像は例示である。図１１は、変形例に係るナビゲーション画像を示している。同図に示す例では、いずれかのクラブ番手に対応する平均到達位置線（ここでは平均到達位置線５０）の上に目標位置画像６２が表示される。この目標位置画像６２は、ゴルフナビゲータ６に対する操作入力に応じて左右に移動する。また、目標位置画像６２は、ゴルフナビゲータ６に対する操作入力に応じて平均到達位置線間をジャンプする。変形例に係るゴルフナビゲータ６では、図９に示される基礎データのうち、クラブ番手毎の参考画像ＩＤに代えて、クラブ番手毎の到達位置データ群を管理サーバ２から取得するようにしている。到達位置データ群は、管理サーバ２で管理されている全ての到達位置データであってもよいし、ショット日時と現在日時との差が所定時間内のものだけを抽出してもよい。また、到達位置データのうち、極端に距離が短いものや、極端に左右方向にずれたものなど、事前に定めた条件を満たさないものを取得しないようにしてもよい。そして、取得した各到達位置データに対応するコース地図上の位置に丸印などの到達位置画像６４を参考画像として表示する。こうすれば、到達位置画像６４により、ゴルフボールの到達可能性のある領域を直接的に把握することができるようになる。
【００３８】
また、以上の説明では、参考画像５６，５８，６０は、ゴルフボールの到達範囲のみを示すようにしたが、さらに球筋がストレートか、スライスか、フックかを示すようにしてもよい。球筋は、最も簡単には、クラブ番手毎のサイドスピン量（ｒｐｍ）を平均し、平均値に基づいて算出してよい。例えば、管理サーバ２では、スピンデータに含まれるサイドスピン量（スライス方向のサイドスピンを正とする）を平均し、平均値が第１閾値（負）未満であるばあいにはフックと判断する。また、平均値が第２閾値（正）を超える場合にはスライスと判断する。また、平均値が第１閾値以上、第２閾値未満であるばあいにはストレートと判断する。
【００３９】
そして、ストレートの場合には、図１２（ａ）に示される直線の矢印を示す球筋参考画像が、対応するクラブ番手に関連づけてゴルフナビゲータ６の画面に表示される。また、スライスの場合には、同図（ｂ）に示される右に湾曲した矢印を示す球筋参考画像が、対応するクラブ番手に関連づけてゴルフナビゲータ６の画面に表示される。さらに、フックの場合には、同図（ｃ）に示される左に湾曲した矢印を示す球筋参考画像が、対応するクラブ番手に関連づけてゴルフナビゲータ６の画面に表示される。
【００４０】
図１３は、ゴルフナビゲータ６の画面に表示されるナビゲーション画像の変形例を示している。同図に示されるように、この変形例では、参考画像５６，５８，６０は、いずれも球筋参考画像７０を含んでいる。具体的には、クラブ番手「１Ｗ」に対応する参考画像５６の左側には右に湾曲した矢印を示す球筋参考画像７０が付加され、クラブ番手「３Ｗ」に対応する参考画像５８の下側には直線の矢印を示す球筋参考画像７０が付加され、クラブ番手「５Ｗ」に対応する参考画像６０の右側には左に湾曲した矢印を示す球筋参考画像７０が付加されている。このナビゲーション画像によれば、プレーヤーは、球筋参考画像７０により各クラブ番手で自分がどのような球筋のボールを打つかを直ちに理解することができる。
【００４１】
ところで、上記のようにサイドスピン量の平均値から球筋を判断すると、スライスとフックの両方を繰り返すプレーヤーは、ストレートボールを打っていると判断されてしまうことになる。図１４は、サイドスピン量の分布例を示している。同図（ａ）は、頻度の高いサイドスピン量の値が零付近に集まっており、概ね球筋がストレートであるプレーヤーに関する分布例を示している。同図（ｂ）は、頻度の高いサイドスピン量の値が所定の閾値（正）以上に偏っており、球筋がスライスであるプレーヤーに関する分布例を示している。同図（ｃ）は、頻度の高いサイドスピン量の値が所定の閾値（負）未満に偏っており、球筋がフックであるプレーヤーに関する分布例を示している。同図（ｄ）は、頻度の高いサイドスピン量の値が所定の閾値（正）以上、及び所定の閾値（負）未満の両方に分かれており、スライス及びフックの両方の球筋を打つプレーヤーに関する分布例を示している。このうち、同図（ｄ）の場合は、サイドスピン量の平均値が零付近の値となり、球筋がストレートと誤って判断されてしまうことになる。そこで、クラブ番手毎のサイドスピン量の分布が同図（ａ）〜（ｄ）のいずれに近いかを判断し、それにより図１５に示される球筋参考画像をナビゲーション画像に含めるようにしてよい。図１５（ａ）は、ストレートの球筋を示す球筋参考画像であり、図１４（ａ）の分布に対応する。図１５（ｂ）は、スライスの球筋を示す球筋参考画像であり、図１４（ｂ）の分布に対応する。図１５（ｃ）は、フックの球筋を示す球筋参考画像であり、図１４（ｃ）の分布に対応する。図１５（ｄ）は、スライス及びフックの両方の球筋を示す球筋参考画像であり、図１４（ｄ）の分布に対応する。
【００４２】
図１１は、変形例に係るナビゲーション画像を示している。同図に示す例では、いずれかのクラブ番手に対応する平均到達位置線（ここでは平均到達位置線５０）の上に参考画像（ここでは参考画像５６）が表示される。参考画像は、ゴルフナビゲータ６に対する操作入力に応じて平均到達位置線間をジャンプする。これにより、任意のクラブ番手に関する参考画像を表示させることができる。さらに、このナビゲーション画像では、現在位置（ゴルフボールを打つ位置であり、ここではティーグラウンドの位置である。）に球筋参考画像７２が、その基端が現在位置に一致するようにして表示される。球筋参考画像７２は、参考画像が表示されたクラブ番手に関するものであり、ここではスライス及びフックの両方の球筋が出現する可能性があることが示されている。
【００４３】
図１７は、球筋参考画像を選択する処理の一例を示すフロー図である。同図に示す処理は、管理サーバ２においてプログラムに従って全クラブ番手について繰り返し実行されるものである。まず、図５に示されるクラブ番手毎の計測データのうち、閾値Ｓｔｈ（＞０）より大きい値のサイドスピン量が含まれる計測データの割合を所与のクラブ番手について取得し、３０％以上かどうかを判断する（Ｓ３０１）。そして、３０％以上であればスライス傾向がある旨を（Ｓ３０２）、３０％未満であればスライス傾向がない旨を（Ｓ３０３）、同クラブ番手に関連づけて記憶する。
【００４４】
次に、閾値（−Ｓｔｈ）未満のサイドスピン量が含まれる計測データの割合を同クラブ番手について取得し、３０％以上かどうかを判断する（Ｓ３０４）。そして、３０％以上であればフック傾向がある旨を（Ｓ３０５）、３０％未満であればフック傾向がない旨を（Ｓ３０６）、同クラブ番手に関連づけて記憶する。
【００４５】
その後、Ｓ３０２，Ｓ３０３，Ｓ３０５，Ｓ３０６における記憶内容に従って、同クラブ番手に対応する球筋参考画像を決定する（Ｓ３０７）。具体的には、Ｓ３０２でスライス傾向ありと判断され、Ｓ３０５でフック傾向ありと判断されれば、図１５（ｄ）に示される球筋参考画像が選択される。Ｓ３０２でスライス傾向ありと判断され、Ｓ３０６でフック傾向なしと判断されれば、図１５（ｂ）に示される球筋参考画像が選択される。Ｓ３０３でスライス傾向なしと判断され、Ｓ３０５でフック傾向ありと判断されれば、図１５（ｃ）に示される球筋参考画像が選択される。また、Ｓ３０３でスライス傾向なしと判断され、Ｓ３０６でフック傾向なしと判断されれば、図１５（ａ）に示される球筋参考画像が選択される。以上の処理は、前クラブ番手について実行され、クラブ番手毎の球筋参考画像の種別のデータは、上述の基礎データの一部としてゴルフナビゲータ６に供給される。ゴルフナビゲータ６は、供給されたクラブ番手毎の球筋参考画像の種別のデータを基礎データの一部として記憶しており、それに従ってナビゲーション画像に球筋参考画像を含めるようにしている。上記例によれば、球筋参考画像７２から、より詳しい球筋の傾向をプレーヤーが理解できるようになる。
【００４６】
さらに、以上の説明では、到達位置をゴルフシミュレータ１０において計算し、管理サーバ２に送信したが、管理サーバ２において軌道情報から計算してもよい。また、以上の説明では、クラブ番手毎の参考画像ＩＤの決定、平均到達距離の算出、球筋参考画像の決定を管理サーバ２において行ったが、これらの一部又は全部をゴルフナビゲータ６において行ってもよい。この場合、ゴルフナビゲータ６は、到達位置データを管理サーバ２から取得し、取得した到達位置データに基づいて参考画像ＩＤの決定、平均到達距離の算出、球筋参考画像の決定を行う。また、ゴルフナビゲータ６は、管理サーバ２から軌道情報を取得し、到達位置データを自ら計算するようにしてもよい。
【符号の説明】
【００４７】
１  ゴルフプレー支援システム、２  管理サーバ、４  パーソナルコンピュータ、６  ゴルフナビゲータ、８  通信ネットワーク、１０  ゴルフシミュレータ、１２  スクリーン、１４  本体、１６  計測装置、１８  ゴルフマット、２０  プロジェクタ、５０，５２，５４  平均到達距離線、５６，５８，６０  参考画像、６２  目標位置画像、６４  到達位置画像、７０，７２  球筋参考画像。
【図１】
2014023701.tif 000003
【図２】
2014023701.tif 000004
【図３】
2014023701.tif 000005
【図４】
2014023701.tif 000006
【図５】
2014023701.tif 000007
【図６】
2014023701.tif 000008
【図７】
2014023701.tif 000009
【図８】
2014023701.tif 000010
【図９】
2014023701.tif 000011
【図１０】
2014023701.tif 000012
【図１１】
2014023701.tif 000013
【図１２】
2014023701.tif 000014
【図１３】
2014023701.tif 000015
【図１４】
2014023701.tif 000016
【図１５】
2014023701.tif 000017
【図１６】
2014023701.tif 000018
【図１７】
2014023701.tif 000019